(57)【要約】分光検出器は、光源と、内部で試料を流通させる試料セルと、光センサと、前記光源からの光を前記試料セルへ導くとともに前記試料セルからの光を前記光センサに導く光学系であって、前記光源と前記試料セルとの間又は前記試料セルと前記光センサとの間に光を分光する分光器を有する光学系と、前記光源を収容するためのランプハウス部と少なくとも前記試料セル及び前記光学系を収容するための光学系収容部とを一体的に有するハウジングと、を備えている。ランプハウス部と光学系収容部が一体となってハウジングを構成することで、ランプハウス部から光学系収容部へ熱が伝わりやすくなり、検出器全体が熱平衡に達するまでの時間が短縮される。
2018193620.tif 000002
【特許請求の範囲】
【請求項１】
光源と、
内部で試料を流通させる試料セルと、
光センサと、
前記光源からの光を前記試料セルへ導くとともに前記試料セルからの光を前記光センサに導く光学系であって、前記光源と前記試料セルとの間又は前記試料セルと前記光センサとの間に光を分光する分光器を有する光学系と、
前記光源を収容するためのランプハウス部と少なくとも前記試料セル及び前記光学系を収容するための光学系収容部とを一体的に有するハウジングと、を備えた分光検出器。
【請求項２】
前記ハウジングは熱伝導性材料からなるものである請求項１に記載の分光検出器。
【請求項３】
前記ハウジングの前記ランプハウス部を冷却するための冷却機構をさらに備えている請求項１又は２に記載の分光検出器。
【請求項４】
前記冷却機構は、前記ハウジングの前記ランプハウス部の熱を吸熱して前記ハウジングから離れた位置へ輸送するヒートパイプを有するものである請求項３に記載の分光検出器。
【請求項５】
前記ハウジングに取り付けられ、前記ハウジングの前記ランプハウス部の熱を前記光学系収容部へ輸送する熱輸送機構をさらに備えている請求項１から４のいずれか一項に記載の分光検出器。
【請求項６】
前記熱伝達機構はヒートパイプである請求項５に記載の分光検出器。
【発明の詳細な説明】
【技術分野】
【０００１】
本発明は、例えば分光光度計や示差屈折率検出器など、光源からの光を試料セルへ導くとともに試料セルからの光を光センサに導く光学系に分光器を含む検出器（以下、このような検出器を「分光検出器」と称する。）に関するものである。
【背景技術】
【０００２】
紫外可視分光光度計や分光蛍光光度計、示差屈折率検出器などの分光検出器は、光源として重水素ランプやハロゲンランプなどの発熱を伴って発光するランプを利用する。分光検出器において、光源はランプハウスと呼ばれる光源格納部品に格納されているが、光を試料セルや光センサへ導く分光器を含む光学系はランプハウスとは別の格納部品（以下、光学系収容部）内に収容されている（特許文献１参照。）。【０００３】
光源から発せられた光は光学系収容部内に導入され、分光器によって分光されて光センサにより検出される。光学系収容部内に導入された光の光路上に試料セルを配置され、試料セル内を流れる試料成分を透過した光や試料成分から発せられる蛍光が光センサによって検出されることで、試料成分の吸光度や蛍光強度が測定され、それによって試料成分の同定や定量が行なわれる。
【先行技術文献】
【特許文献】
【０００４】
【特許文献１】特開２０１４−０４８１７６号公報
【発明の概要】
【発明が解決しようとする課題】
【０００５】
分光検出器の光源の発光強度や光学系を構成する分光器などの各光学部品の光学特性には温度依存性があることが知られている。そのため、検出器を立ち上げてから検出器信号が安定するまでに、ある程度の時間を要する。特に、回折格子のような分光器の温度が変動すると、分光器に搭載されている光学素子の相対的な位置関係が変化し、それによって波長分散角が変動し、分光性能が変化してしまう。【０００６】
上述したように、従来では、特に分光器などの光学系が光源からの熱の影響を受けないように、光学系収容部とランプハウスとを熱的に分離している。しかし、検出器の構成上、光学系収容部とランプハウスとを隣接させて配置しているため、光源からの輻射熱の影響等によって光学系収容部とランプハウスとが完全には熱的に分離されていない。そのため、ランプハウスの熱が緩やかに光学系収容部側へ伝達され、ランプハウスと光学系収容部の全体が熱平衡に達するまでに長時間を要し、それによって検出器信号が安定するまでの時間が長くなる原因となっていることがわかった。【０００７】
そこで、本発明は、検出器信号が安定するまでの時間を短縮することを目的とするものである。
【課題を解決するための手段】
【０００８】
これまでの分光検出器では、光学系に対する光源からの熱の影響を抑制するという観点から、光源と光学系との間を熱的に分離するということが技術常識となっている。これに対し、本発明は、あえて光源から光学系へ熱が伝わりやすくすることによって、検出器全体が熱平衡に達するまでの時間の短縮化するという発想に基づいている。【０００９】
すなわち、本発明に係る分光検出器は、光源と、内部で試料を流通させる試料セルと、光センサと、前記光源からの光を前記試料セルへ導くとともに前記試料セルからの光を前記光センサに導く光学系であって、前記光源と前記試料セルとの間又は前記試料セルと前記光センサとの間に光を分光する分光器を有する光学系と、前記光源を収容するためのランプハウス部と少なくとも前記試料セル及び前記光学系を収容するための光学系収容部とを一体的に有するハウジングと、を備えている。ランプハウス部と光学系収容部が一体となってハウジングを構成することで、ランプハウス部から光学系収容部へ熱が伝わりやすくなり、検出器全体が熱平衡に達するまでの時間が短縮される。【００１０】
ハウジングは熱伝導性材料からなるものであることが好ましい。そうすれば、光源で発生した熱が高効率にハウジング全体へ伝達し、検出器全体が熱平衡に達するまでの時間が短くなる。【００１１】
また、ハウジングのランプハウス部を冷却するための冷却機構をさらに備えていることが好ましい。光源からの熱を直接的に受けるランプハウス部を積極的に冷却すれば、ランプハウス部と光学系収容部との間の温度差が小さくなるので、検出器全体が熱平衡に達するまでの時間がさらに短くなる。【００１２】
上記の場合、ハウジングのランプハウス部を冷却する冷却機構の構成として種々のものが考えられる。例えば、ランプハウス部に冷却用のフィンを設け、そのフィンに対してファンからの冷却風を吹き付けるようにすることも考えられる。しかし、ランプハウスに冷却風が直接的に吹き付けられると、ランプハウス部が振動し、それに伴って光源が振動して検出器信号のノイズの原因となることも考えられる。また、ランプハウス部に冷却用のフィンをもつようにするとハウジングの構造が複雑化し、ハウジングの製造コストが増加するという問題もある。【００１３】
そこで、上記の冷却機構は、ハウジングのランプハウス部の熱を吸熱してハウジングから離れた位置へ輸送するヒートパイプを有するものであってもよい。そうすれば、ハウジングのランプハウス部に冷却風が直接的に吹き付けられることがなくなり、光源の振動によるノイズの発生を防止することができる。また、ハウジングに冷却用のフィンを設ける必要がないので、ハウジングの製造コストの増加を抑制することができる。【００１４】
ここで、ヒートパイプとは、真空排気された金属パイプの内側に作動液体が封入されたものである。ヒートパイプは、一端側と他端側で温度差が生じたときに、高温側で作動液体が蒸発して蒸気となり、その蒸気が低温側で凝縮して液体となるという潜熱移動により高効率に熱輸送を行なうことができる。【００１５】
また、本発明の分光検出器では、ハウジングに取り付けられ、当該ハウジングのランプハウス部の熱を光学系収容部へ輸送する熱輸送機構をさらに備えていてもよい。そうすれば、ランプハウス部から光学系収容部へ高効率に熱輸送が行われ、検出器全体の熱平衡化に要する時間がさらに短縮される。【００１６】
上記の熱伝達機構の一例は、ヒートパイプである。
【発明の効果】
【００１７】
本発明に係る分光検出器では、ランプハウス部と光学系収容部が一体となってハウジングを構成しているので、検出器全体が熱平衡に達するまでの時間が短縮され、それによって検出器信号が安定するまでに要する時間が短縮される。【００１８】
また、従来のようにランプハウス部と光学系収容部が別体として構成されて熱的に分離されている場合、ランプハウス部の熱容量が小さいために光源が室温変動の影響を受けやすい。これに対し、本発明では、ランプハウス部と光学系収容部が一体となって１つのハウジングを構成することで、ランプハウス部と光学系収容部のそれぞれの熱容量が大きくなり、光源や光学系に対する室温変動の影響が小さくなる。【００１９】
室温変動の影響をさらに抑制するためにヒータやセンサ等の温度調節機構を設ける場合があるが、ランプハウス部と光学系収容部が熱的に分離されていると、それぞれに対する室温変動の影響を抑制するためにそれぞれにヒータやセンサ等を設ける必要がある。それに対し、ランプハウス部と光学系収容部が一体となっている場合はランプハウス部と光学系収容部のそれぞれに温度調節機構を設ける必要は必ずしもなく、１つの温度調節機構でランプハウス部と光学系収容部の温度調節を行なうことが可能になる。また、ランプハウス部と光学系収容部が１つのハウジングを構成することによって、検出器を構成する部品点数が少なくなり、コストの低減が図られる。さらに、従来２セット必要であった温度調節機構を１セットにした場合には、検出器を構成する部品点数がさらに少なくなり、コストのさらなる抑制を図ることができる。
【図面の簡単な説明】
【００２０】
【図１】分光検出器（分光光度計）の一実施例を示す平面概略構成図である。
【図２】同実施例のハウジングを示す斜視図である。
【図３】従来構造と同実施例の構造における室温変動による分光器温度への影響の検証結果を示すグラフである。
【図４Ａ】従来構造におけるランプハウス温度と分光器温度の時間変化を示すグラフである。
【図４Ｂ】同実施例におけるランプハウス温度と分光器温度の時間変化を示すグラフである。
【図５】ハウジングに冷却機構を装着する実施例を示す斜視図である。
【図６】分光検出器（分光光度計）の他の実施例を示す平面概略構成図である。
【発明を実施するための形態】
【００２１】
以下に、本発明の分光検出器の一実施例としての分光光度計について、図面を参照しながら説明する。
【００２２】
図１に示されているように、この実施例の分光光度計は、例えばアルミニウムなどの熱伝導性材料により構成されたハウジング２内に、光源８、試料セル１２、光センサ１４、ミラー１６、１８及び回折格子２０が収容されて構成されている。
【００２３】
ハウジング２は光学系収容部４とランプハウス部６を備えている。ランプハウス部６は光学系収容部４の上方の位置に設けられており、そのランプハウス部６内に光源８が収容されている。光源８は重水素ランプやハロゲンランプなどである。光源８は下方向（図において紙面に垂直な方向）へ向けて光を発するように配置されている。
【００２４】
ハウジング２の光学系収容部４内には、試料セル設置部１０が設けられており、その試料セル設置部１０に試料セル１２が設置されている。光学系収容部４内のランプハウス部６の直下の位置にミラー１６が設けられており、光源８からの光を反射させて試料セル１２へ導くようになっている。試料セル１２を通過した光の光路上にミラー１８が配置されており、ミラー１８で反射した光の光路上に分光器としての回折格子２０が配置されている。回折格子２０に入射した光は波長域ごとに分光される。回折格子２０で分光された各波長域の光を受光する位置にフォトダイオードアレイからなる光センサ１４が配置されている。ミラー１６は光源８からの光を試料セル１２へ導くための光学系をなし、ミラー１８及び回折格子２０は試料セル１２からの光を光センサ１４へ導くための光学系をなしている。
【００２５】
光源８により発せられた光はミラー１６で反射して試料セル１２に照射される。試料セル１２を透過した光はミラー１８で反射して回折格子２０へ導かれ、回折格子２０により分光された各波長域の光の強度が光センサ１４によって検出される。光センサ１４で得られた各波長域の光の強度を検出することにより、試料セル１２を流れる試料成分の吸収波長及び吸光度が測定され、試料成分の同定や定量が行われる。
【００２６】
図２に示されているように、この実施例では、光学系収容部４とランプハウス部６が一体化されて１つのハウジング２を構成している。従来構造では、ランプハウスが単体として存在するが、ランプハウス自体は熱容量が小さいものであるために室温変動の影響を受けやすい。これに対し、この実施例のように、光学系収容部４とランプハウス部６とを一体化して１つのハウジング２とすれば、ハウジング２全体としての熱容量が大きくなり、光学系収容部とランプハウスが熱的に分離している従来構造に比べて室温変動の影響を受けにくくなる。
【００２７】
図３は従来構造とこの実施例の構造における室温変動によるランプハウス部６の温度への影響の検証結果を示している。このグラフからわかるように、従来構造、すなわち光学系収容部とランプハウスが熱的に分離されている場合、室温変動の影響を受けてランプハウスの温度が大きく変動しているが、光学系収容部４とランプハウス部６を一体化した実施例の構造では、ランプハウス部６の温度変動が従来構造よりも小さくなっている。この検証結果から、光学系収容部４とランプハウス部６を一体化すれば、ランプハウス部６に対する室温変動の影響が小さくなることがわかる。
【００２８】
また、ランプハウス部６に収容された光源８は熱を伴って発光するものであるが、光源８で発生した熱はランプハウス部６を介して光学系収容部４へ高効率に伝達され、ハウジング２の全体の熱平衡化が迅速に行なわれる。熱平衡化に関する検証結果を図４Ａ及び図４Ｂに示す。
【００２９】
図４Ａ及び図４Ｂは、光源を点灯させてからのランプハウス温度及び分光器温度の時間変化を測定したものである。図４Ａに示されているように、光学系収容部とランプハウスとが熱的に分離されている従来構造では、ランプハウス温度と分光器（光学系）温度との差が大きく、光源を点灯させてから両者の温度が安定するまでに６０分程度の時間を要している。これに対し、光学系収容部４とランプハウス部６を一体化した実施例の構造では、図４Ｂに示されているように、ランプハウス温度と分光器（光学系）温度との差が小さくなり、さらに光源を点灯させてから両者の温度が安定するまでに要する時間が３０分に短縮された。
【００３０】
この検証結果から、光学系収容部４とランプハウス部６を一体化させて１つのハウジング２を構成することにより、検出器全体の熱平衡化に要する時間が短縮されることがわかる。これにより、この実施例の構造によって従来構造よりも検出器信号が安定するまでに要する時間（安定待ち時間）が短縮される。
【００３１】
図４Ｂの検証結果からもわかるように、光源８を点灯させると、ランプハウス部６の温度は光学系収容部４の温度よりも高くなるが、光学系収容部４とランプハウス部６との温度差がより小さくなれば、検出器全体の熱平衡化に要する時間をさらに短縮することができる。光学系収容部４とランプハウス部６との温度差をさらに小さくする方法として、ランプハウス部６を冷却するための冷却機構を設けることが考えられる。
【００３２】
図５にハウジング２のランプハウス部６を冷却するための冷却機構の一例を示す。この例の冷却機構２４はヒートパイプ２６を利用するものである。ヒートパイプ２６の一端側に伝熱板２８が取り付けられ、他端側に放熱フィン３０が取り付けられている。伝熱板２８はハウジング２のランプハウス部６近傍に設けられた平面部２２に密着するように取り付けられ、ヒートパイプ２６の他端側に取り付けられた放熱フィン３０に対してファン３２から冷却風が吹き付けられる。これにより、ランプハウス部６の熱が効率よくヒートパイプ２６の他端側へ輸送される。なお、ヒートパイプ２６内に封入される作動液として純水が挙げられる。
【００３３】
ランプハウス部６を冷却する冷却機構の構成としては種々のものが考えられるが、図５のようにヒートパイプ２６を利用することによって、ランプハウス部６に対して冷却風を直接的に吹き付ける必要がなくなり、ランプハウス部６の振動によるノイズの発生を防止することができる。なお、図５では示されていないが、ヒートパイプ２６の他端側に取り付けられた放熱フィン３０は、ハウジング２が配置されている空間とは熱的に隔離された空間に配置されることが好ましい。
【００３４】
また、検出器全体の熱平衡化の迅速化を図るために、図６に示されているように、ヒートパイプ３４（熱輸送機構）を利用してランプハウス部６の熱を光学系収容部４のランプハウス部６から離れた位置へ積極的に輸送するようにしてもよい。
【００３５】
以上において説明した実施例では、分光検出器として後分光方式の分光光度計について説明したが、本発明の分光検出器はこれに限定されず、前分光方式の分光光度計や示差屈折率検出器など、光学系に分光器を含む検出器であればいかなる検出器にも適用することができる。
【符号の説明】
【００３６】
２      ハウジング
４      光学系収容部
６      ランプハウス部
８      光源
１０      試料セル設置部
１２      試料セル
１４      光センサ
１６，１８      ミラー
２０      回折格子（分光器）
２２      平面部
２４      冷却機構
２６，３４      ヒートパイプ
２８      伝熱板
３０      放熱フィン
３２      ファン
【図１】
2018193620.tif 000003
【図２】
2018193620.tif 000004
【図３】
2018193620.tif 000005
【図４Ａ】
2018193620.tif 000006
【図４Ｂ】
2018193620.tif 000007
【図５】
2018193620.tif 000008
【図６】
2018193620.tif 000009
【手続補正書】
【提出日】令和1年8月20日(2019.8.20)
【手続補正１】
【補正対象書類名】特許請求の範囲
【補正対象項目名】全文
【補正方法】変更
【補正の内容】
【特許請求の範囲】
【請求項１】
光源と、
内部で試料を流通させる試料セルと、
光センサと、
前記光源からの光を前記試料セルへ導くとともに前記試料セルからの光を前記光センサに導く光学系であって、前記光源と前記試料セルとの間又は前記試料セルと前記光センサとの間に光を分光する分光器を有する光学系と、
前記光源を収容するためのランプハウス部と、少なくとも前記試料セル及び前記光学系を収容するための光学系収容部とを有し、前記ランプハウス部と前記光学系収容部とが一体化されているハウジングと、を備えた分光検出器。
【請求項２】
前記ハウジングは熱伝導性材料からなるものである請求項１に記載の分光検出器。
【請求項３】
前記ハウジングの前記ランプハウス部を冷却するための冷却機構をさらに備えている請求項１又は２に記載の分光検出器。
【請求項４】
前記冷却機構は、前記ハウジングの前記ランプハウス部の熱を吸熱して前記ハウジングから離れた位置へ輸送するヒートパイプを有するものである請求項３に記載の分光検出器。
【請求項５】
前記ハウジングに取り付けられ、前記ハウジングの前記ランプハウス部の熱を前記光学系収容部へ輸送する熱輸送機構をさらに備えている請求項１から４のいずれか一項に記載の分光検出器。
【請求項６】
前記熱伝達機構はヒートパイプである請求項５に記載の分光検出器。
【国際調査報告】
2018193620.tif 000010
2018193620.tif 000011